(57)【要約】【課題】運動量が正確に把握されうる運動量管理システムの提供。【解決手段】運動量管理システムは、歩数計２、クライアントマシン４、サーバマシン６及び送信装置８を備えている。歩数計２は、ゴルファーが運動時に携帯しうる。歩数計２は、ゴルファーの歩数データを記憶している。歩数計２は、適宜クライアントマシン４と接続されうる。クライアントマシン４は、ゴルファーが所有している。クライアントマシン４は、通信回線を介してサーバマシン６と接続されている。歩数計２が記憶している歩数計コードがサーバマシン６が記憶している歩数計コードと一致し、かつ、クライアントマシン４から入力されたゴルファーコードとサーバマシン６が記憶しているゴルファーコードとが一致したとき、歩数計２からサーバマシン６に、歩数データが送信される。この歩数データに基づき、サーバマシン６はポイントを付与する。【選択図】図１
2011005155.tif 000002
【特許請求の範囲】
【請求項１】
（１）加入者が運動時に携帯しうる運動量計、
（２）この運動量計との間でデータの送受信をなし得るクライアントマシン、及び
（３）このクライアントマシンとの間でデータ送受信をなし得るサーバマシン
を備えており、
上記運動量計（１）が、
（１−１）運動量計を特定するための運動量計コードを記憶する運動量計コード記憶部
、
（１−２）加入者の運動を検知するセンサ、
（１−３）このセンサからの信号に基づいて運動量データを計算する計算部、
（１−４）この計算された運動量データを記憶する運動量記憶部、及び
（１−５）クライアントマシンとの間でデータを送受信するための送受信部
を備えており、
上記サーバマシン（３）が、
（３−１）クライアントマシンとの間でデータを送受信するための送受信部、
（３−２）運動量計を特定するための運動量計コードと、加入者を特定するための加入者コードとを、関連づけて記憶するコード記憶部、
（３−３）クライアントマシンを通じて運動量計から送信された運動量計コードとクライアントマシンから送信された加入者コードとの対が、コード記憶部に記憶された運動量計コードと加入者コードとの対と一致するか否かを判定する判定部、
（３−４）クライアントマシンを通じて運動量計から送信される運動量データを記憶する運動量記憶部、及び
（３−５）この運動量データを累積計算して累積運動量データを算出する累積計算部
を備えており、
上記判定部において、クライアントマシンを通じて運動量計から送信された運動量計コードとクライアントマシンから送信された加入者コードとの対と、コード記憶部に記憶された運動量計コードと加入者コードとの対との一致が確認された場合のみ、サーバマシンの送受信部が、クライアントマシンを通じて運動量計から送信される運動量データを受信する運動量管理システム。
【請求項２】
上記サーバマシン（３）が、
（３−６）運動量データをポイントに換算する換算部、
（３−７）複数の景品の必要ポイントを記憶する景品記憶部、及び
（３−８）累積されたポイントに応じて提供可能な景品を選定する選定部
をさらに備えた請求項１に記載のシステム。
【請求項３】
上記サーバマシン（３）が、
（３−９）加入者が加入する加盟店を特定するための加盟店コードを記憶する加盟店コード記憶部
をさらに備えており、
上記選定部が、加盟店コードに基づき、当該加盟店でのみ使用されうる商品を選定する請求項２に記載のシステム。
【請求項４】
上記換算部が、加盟店コードに基づき、加盟店での運動によって計算された運動量データのポイント換算率を、加盟店以外の場所での運動によって計算された運動量データのポイント換算率よりも大きくする請求項３に記載のシステム。
【請求項５】
上記加盟店に設置された送信装置をさらに備えており、この送信装置から、加入者の加盟店へのチェックイン又はチェックアウトの情報がサーバマシンに送信される請求項４に記載のシステム。
【発明の詳細な説明】
【技術分野】
【０００１】
本発明は、加入者のなす運動量を累積計算するための管理システムに関する。
【背景技術】
【０００２】
日本国の厚生労働省は、生活習慣病予防の目的で、「健康づくりのための運動指針２００６」を策定している。この指針では、メタボリックシンドローム対策として、運動が奨励されている。この指針では、様々な運動について、身体活動強さを定めている。身体活動強さの単位は、メッツである。例えば、ウォーキングの身体活動強さは４．０メッツであり、ゴルフの身体活動強さは３．５メッツである。身体活動量は、身体活動強さに活動時間を乗じたものである。身体活動量の単位は、Ｅｘである。例えば、１０分のウォーキングの身体活動量は０．７Ｅｘであり、１時間のゴルフの身体活動量は３．５Ｅｘである。
【０００３】
生活習慣病の予防のためには、運動が長期間継続される必要がある。しかし、ヒトは概して飽きやすく、短期間で運動をやめることが多い。運動継続への意欲を喚起する手段が望まれている。
【０００４】
特開２００８−８３７７６公報には、運動量をポイントに変換し、このポイントを換金するためのシステムが開示されている。このシステムでは、換金により、ヒトが運動を継続する意思が喚起される。特許第４１６０５９６号公報には、運動によって消費されるカロリーを算出するシステムが開示されている。このシステムでは、消費されるカロリーが可視化されることにより、ヒトが運動を継続する意思が喚起される。
【先行技術文献】
【特許文献】
【０００５】
【特許文献１】特開２００８−８３７７６公報
【特許文献２】特許第４１６０５９６号公報
【発明の概要】
【発明が解決しようとする課題】
【０００６】
運動継続の意思を喚起するには、運動に関する正確な情報をヒトに提供することが重要である。システムは、運動量を正確に把握する必要がある。本発明の目的は、運動量が正確に把握されうる運動量管理システムの提供にある。
【課題を解決するための手段】
【０００７】
本発明に係る運動量管理システムは、
（１）加入者が運動時に携帯しうる運動量計、
（２）この運動量計との間でデータの送受信をなし得るクライアントマシン、及び
（３）このクライアントマシンとの間でデータ送受信をなし得るサーバマシン
を備える。この運動量計（１）は、
（１−１）運動量計を特定するための運動量計コードを記憶する運動量計コード記憶部
、
（１−２）加入者の運動を検知するセンサ、
（１−３）このセンサからの信号に基づいて運動量データを計算する計算部、
（１−４）この計算された運動量データを記憶する運動量記憶部、及び
（１−５）クライアントマシンとの間でデータを送受信するための送受信部
を備える。サーバマシン（３）は、
（３−１）クライアントマシンとの間でデータを送受信するための送受信部、
（３−２）運動量計を特定するための運動量計コードと、加入者を特定するための加入者コードとを、関連づけて記憶するコード記憶部、
（３−３）クライアントマシンを通じて運動量計から送信された運動量計コードとクライアントマシンから送信された加入者コードとの対が、コード記憶部に記憶された運動量計コードと加入者コードとの対と一致するか否かを判定する判定部、
（３−４）クライアントマシンを通じて運動量計から送信される運動量データを記憶する運動量記憶部、及び
（３−５）この運動量データを累積計算して累積運動量データを算出する累積計算部
を備える。このシステムでは、判定部において、クライアントマシンを通じて運動量計から送信された運動量計コードとクライアントマシンから送信された加入者コードとの対と、コード記憶部に記憶された運動量計コードと加入者コードとの対との一致が確認された場合のみ、クライアントマシンを通じて運動量計から送信される運動量データを、サーバマシンの送受信部が受信する。
【０００８】
好ましくは、サーバマシン（３）は、
（３−６）運動量データをポイントに換算する換算部、
（３−７）複数の景品を記憶する景品記憶部、及び
（３−８）累積されたポイントに応じて提供可能な景品を選定する選定部
をさらに備える。
【０００９】
好ましくは、サーバマシン（３）は、
（３−９）加入者が加入する加盟店を特定するための加盟店コードを記憶する加盟店コード記憶部
をさらに備える。選定部は、加盟店コードに基づき、当該加盟店でのみ使用されうる商品を選定する。
【００１０】
好ましくは、換算部は、加盟店コードに基づき、加盟店での運動によって計算された運動量データのポイント換算率を、加盟店以外の場所での運動によって計算された運動量データのポイント換算率よりも大きくする。
【００１１】
好ましくは、このシステムは、加盟店に設置された送信装置をさらに備える。この送信装置から、加入者の加盟店へのチェックイン又はチェックアウトの情報がサーバマシンに送信される。
【発明の効果】
【００１２】
本発明に係る運動量管理システムでは、運動量が正確に把握されうる。このシステムを利用する加入者は、運動継続の意思を持ち続けることができる。このシステムは、加入者の健康増進に寄与する。
【図面の簡単な説明】
【００１３】
【図１】図１は、本発明の一実施形態に係る運動量管理システムが示された構成図である。
【図２】図２は、図１のシステムの歩数計が示された構造図である。
【図３】図３は、図２の歩数計の制御部が示された構造図である。
【図４】図４は、図１のシステムのクライアントマシンが示された構造図である。
【図５】図５は、図１のシステムのサーバマシンが示された構造図である。
【図６】図６は、図５のサーバマシンの制御部が示された構造図である。
【図７】図７は、図１のシステムの利用方法の一例が示されたフローチャートである。
【図８】図８は、図７の初期登録ステップの詳細が示されたフローチャートである。
【図９】図９は、図７のアップロードステップの詳細が示されたフローチャートである。
【発明を実施するための形態】
【００１４】
以下、適宜図面が参照されつつ、好ましい実施形態に基づいて本発明が詳細に説明される。
【００１５】
図１に示された運動量管理システムは、歩数計２（運動量計）、クライアントマシン４、サーバマシン６及び送信装置８を備えている。歩数計２は、加入者であるゴルファーが、運動時に携帯しうる。歩数計２は、適宜クライアントマシン４と接続されうる。典型的には、歩数計２は、ＵＳＢケーブルによってクライアントマシン４と接続されうる。クライアントマシン４は、ゴルファーが所有している。クライアントマシン４を、加盟店であるゴルフ場が所有してもよい。クライアントマシン４は、通信回線を介してサーバマシン６と接続されている。典型的な通信回線は、インターネットである。サーバマシン６には、多数のクライアントマシン４が接続されうる。送信装置８は、ゴルフ場が所有している。典型的な送信装置８は、パーソナルコンピュータである。送信装置８は、通信回線を介してサーバマシン６と接続されている。典型的な通信回線は、インターネットである。
【００１６】
図２には、歩数計２の構造が示されている。この歩数計２は、センサ１０、制御部１２、送受信部１４、モニタ１６及びタイマー１８を備えている。センサ１０、送受信部１４、モニタ１６及びタイマー１８は、制御部１２と接続されている。センサ１０は、圧力素子を備えている。制御部１２は、ＣＰＵ２０、ＲＡＭ２２及びＲＯＭ２４を備えている。
【００１７】
図３には、歩数計２の制御部１２が示されている。ＣＰＵは、計算部２６として機能する。ＲＡＭ２２は、運動量記憶部２８として機能する。ＲＯＭ２４は、運動量計コード記憶部３０として機能する。運動量計コード記憶部３０には、歩数計コード（運動量計コード）が記憶されている。このコードは、それぞれの歩数計２に固有のものである。このコードは、歩数計２を特定する目的で用いられる。
【００１８】
センサ１０ーは、圧力素子によってゴルファーの歩行を検知する。センサ１０ーは、検知信号を制御部１２に送信する。計算部２６は、この信号によってゴルファーの歩数データ（運動量データ）を計算する。例えば、１時間ごとの歩数データが計算される。この歩数データは、タイマー１８から得られる時刻データに関連づけられて、運動量記憶部２８に記憶される。計算部２６はさらに、累積歩数データを計算する。この累積歩数データも、運動量記憶部２８に記憶される。送受信部１４は、クライアントマシン４との間で、運動量に関するデータの送信及び受信を行う。モニタ１６は、制御部１２からの信号により、運動量に関する種々の情報を表示する。
【００１９】
図４には、クライアントマシン４が示されている。クライアントマシン４としては、パーソナルコンピュータが用いられうる。クライアントマシン４は、制御部３２、送受信部３４、入力部３６及びモニタ３８を備えている。制御部３２は、ＣＰＵ４０とＲＡＭ４２とを備えている。送受信部３４は、歩数計２との間で、データの送信及び受信を行う。送受信部３４はさらに、サーバマシン６との間で、データの送信及び受信を行う。典型的な入力部は、キーボード又はマウスである。
【００２０】
図５には、サーバマシン６が示されている。サーバマシン６は、制御部４４、送受信部４６及びモニタ４８を備えている。制御部４４は、ＣＰＵ５０と記憶装置５２とを備えている。送受信部４６は、クライアントマシン４との間で、データの送信及び受信を行う。典型的な記憶装置５２は、ハードディスクである。
【００２１】
図６には、サーバマシン６の制御部４４が示されている。ＣＰＵ５０は、判定部５４、累積計算部５６、換算部５８及び選定部６０として機能する。判定部５４は、コード記憶部６２（後に詳説）に記憶された歩数計コードとクライアントマシン４を通じて歩数計２から送信された歩数計コードとの一致を判定する。判定部５４はさらに、コード記憶部６２に記憶されたゴルファーコード（加入者コード）とクライアントマシン４から送信されたゴルファーコードとの一致を判定する。累積計算部５６は、歩数データを累積計算して累積歩数データ（累積運動量データ）を算出する。換算部５８は、累積歩数データをポイントに換算する。選定部６０は、累積されたポイントに応じて提供可能な景品を選定する。
【００２２】
記憶措置５２は、コード記憶部６２、運動量記憶部６４、ポイント記憶部６６、景品記憶部６８及び加盟店コード記憶部７０として機能する。コード記憶部６２には、歩数計コードが記憶されている。コード記憶部６２にはさらに、ゴルファーコード（加入者コード）が記憶されている。このコードは、各ゴルファーに固有のものである。このコードは、ゴルファーを特定する目的で用いられる。コード記憶部６２には、歩数計コードとゴルファーコードとが、関連づけられて記憶されている。運動量記憶部６４は、クライアントマシン４を通じて歩数計２から送信される歩数データを記憶する。ポイント記憶部６６は、歩数データに応じたポイントを記憶する。景品記憶部６８は、複数の景品とその必要ポイントを記憶する。加盟店コード記憶部７０には、ゴルフ場コード（加盟店コード）が記憶されている。このコードは、各ゴルフ場に固有のものである。このコードは、ゴルフ場を特定する目的で用いられる。
【００２３】
図７は、この運動量管理システムの利用方法の一例が示されたフローチャートである。この利用方法は、初期登録（ＳＴＥＰ１）、歩行（ＳＴＥＰ２）、歩数データアップロード（ＳＴＥＰ３）及び景品申請（ＳＴＥＰ４）のステップを含んでいる。
【００２４】
図８は、図７の初期登録ステップ（ＳＴＥＰ１）の詳細が示されたフローチャートである。ゴルファーは、歩数計２を購入する（ＳＴＥＰ１−１）。購入は、例えば、ゴルファーが所属するゴルフ場の売店である。ゴルファーは、自らが所有するクライアントマシン４を操作し、通信回線を通じてサーバマシン６にアクセスする（ＳＴＥＰ１−２）。ゴルフ場が所有するクライアントマシン４から、サーバマシン６にアクセスがなされてもよい。アクセスによってクライアントマシン４のモニタ３８に、サイトのトップページが表示される。このページには、歩数計初期登録メニュー及び運動量アップロードメニューが準備されている。ゴルファーは、歩数計初期登録メニューを入力部（マウス）でクリックする（ＳＴＥＰ１−３）。
【００２５】
クリックにより、モニタ３８に初期登録画面が表示される。ゴルファーは、入力部３６（マウス及びキーボード）を用い、個人情報を入力する（ＳＴＥＰ１−４）。この情報には、少なくとも、氏名、住所、所属するゴルフ場名が含まれる。これらの情報がクライアントマシン４からサーバマシン６に送信されると、サーバマシン６から、歩数計２の接続が促される。ゴルファーは、クライアントマシン４に、ＵＳＢケーブルを介して歩数計２を接続する（ＳＴＥＰ１−５）。この接続により、プラグアンドプレイ機能が働き、歩数計２のドライバソフトがクライアントマシン４にインストールされる（ＳＴＥＰ１−６）。さらに、歩数計２のＲＯＭ２４の運動量計コード記憶部３０に記憶された歩数計コードが、サーバマシン６に送信される（ＳＴＥＰ１−７）。サーバマシン６のＣＰＵ５０は、このゴルファーにゴルファーコードを付与する（ＳＴＥＰ１−８）。歩数計コードは、記憶装置５２のコード記憶部６２に記憶される（ＳＴＥＰ１−９）。ゴルファーコードも、コード記憶部６２に記憶される（ＳＴＥＰ１−１０）。このとき、歩数計コードとゴルファーコードとは、関連づけられて記憶される。さらに、加盟店コード記憶部７０には、ゴルフ場コードが記憶される（ＳＴＥＰ１−１１）。これらの操作により、初期登録（ＳＴＥＰ１）が完了する。
【００２６】
ゴルファーは、歩数計２を携帯しつつ、歩行する（ＳＴＥＰ２）。ゴルファーがゴルフ場で歩行してもよく、ゴルフ場以外の場所で歩行してもよい。歩数計２のセンサ１０は、圧力素子によってゴルファーの歩行を検知する。センサ１０は、検知信号を制御部１２に送信する。計算部２６は、この信号によってゴルファーの歩数データ（運動量データ）を計算する。例えば、１時間ごとの歩数データが計算される。この歩数データは、タイマー１８から得られる時刻データに関連づけられて、運動量記憶部２８に記憶される。計算部２６はさらに、累積歩数データを計算する。この累積歩数データも、運動量記憶部２８に記憶される。記憶された歩数データ及び累積歩数データは、図示されないボタンの操作により、モニタ１６に表示されうる。計算部２６が、歩数データ及び累積歩数データに基づいて、種々の統計計算を行ってもよい。この統計計算の結果も、モニタ１６に表示されうる。計算部２６が、厚生労働省が提唱する身体活動強さ（メッツ）及び身体活動量（Ｅｘ）を計算してもよい。身体活動強さ及び身体活動量も、モニタ１６に表示されうる。
【００２７】
所定期間（例えば１週間）の歩行を行った後、ゴルファーは、この歩数データのアップロードを行う（ＳＴＥＰ３）。図９は、アップロードステップの詳細が示されたフローチャートである。ゴルファーは、クライアントマシン４を操作し、通信回線を通じてサーバマシン６にアクセスする（ＳＴＥＰ３−１）。アクセスによってクライアントマシン４のモニタ３８に、サイトのトップページが表示される。このページには、歩数計初期登録メニュー及び運動量アップロードメニューが準備されている。ゴルファーは、運動量アップロードメニューを入力部３６（マウス）でクリックする（ＳＴＥＰ３−２）。
【００２８】
クリックにより、アップロード画面が表示される。サーバマシン６から、歩数計２の接続が促される。ゴルファーは、クライアントマシン４に、ＵＳＢケーブルを介して歩数計２を接続する（ＳＴＥＰ３−３）。接続により、歩数計２のＲＯＭ２４の運動量計コード記憶部３０に記憶された歩数計コードが、サーバマシン６に送信される（ＳＴＥＰ３−４）。さらにゴルファーは、入力部３６（マウス及びキーボード）を用い、ゴルファーコードを入力する（ＳＴＥＰ３−５）。ゴルファーコードは、クライアントマシン４からサーバマシン６に送信される（ＳＴＥＰ３−６）。
【００２９】
サーバマシン６の判定部５４は、クライアントマシン４から送信された歩数計コード及びゴルファーコードの対と、記憶装置５２のコード記憶部６２に記憶された歩数計コード及びゴルファーコードの対との一致を判定する（ＳＴＥＰ３−７）。
【００３０】
一方の対と他方の対とが一致しない場合、エラーメッセージがクライアントマシン４のモニタに表示される（ＳＴＥＰ３−８）。このエラーメッセージにより、ゴルファーコードの再入力が促される。
【００３１】
一方の対と他方の対との一致が確認された場合、サーバマシン６の送受信部４６が、クライアントマシン４を通じて、歩数計２の運動量記憶部２８から、歩数データを受信する（ＳＴＥＰ３−９）。このデータは、時刻データに関連づけられている。歩数データは、サーバマシン６の運動量記憶部６４に記憶される（ＳＴＥＰ３−１０）。
【００３２】
サーバマシン６の累積計算部５６は、歩数データの累積計算を行う（ＳＴＥＰ３−１１）。具体的には、運動量記憶部６４に記憶された累積歩数データと、新たに受信した歩数データを対比する。新たに受信した歩数データのうち、既存の累積歩数データと重複しない部分を、この累積歩数データに加算する。換言すれば、累積歩数データが更新される。新たな累積歩数データは、運動量記憶部６４に記憶される（ＳＴＥＰ３−１２）。
【００３３】
サーバマシン６の換算部５８は、運動量記憶部６４に記憶された歩数データ及び累積歩数データに基づき、歩数をポイントに換算する（ＳＴＥＰ３−１３）。換算は、所定のルールに基づいてなされる。例えば、
（１）１０００の歩数ごとに１ポイント
（２）１日当たりの歩数が１００００以上であるとき、１０ポイント加算
（３）１日当たりの歩数が１３０００以上であるとき、１００ポイント加算
のようなルールに基づき、換算がなされる。換算によって得られたポイント及び累計ポイントは、ポイント記憶部６６に記憶される（ＳＴＥＰ３−１４）。これにより、歩数データアップロード（ＳＴＥＰ３）が完了する。
【００３４】
ポイントを景品に交換することを望むゴルファーは、申請を行う（ＳＴＥＰ４）。具体的には、ゴルファーがクライアントマシン４からサーバマシン６にアクセスする。サーバマシン６の景品記憶部６８には、複数の景品コードが記憶されている。各コードは、当該景品の交換に必要なポイント数と関連づけられて記憶されている。選定部６０は、ポイント記憶部６６に記憶された累積ポイントと、景品記憶部６８に記憶された必要ポイント数とに基づき、当該ゴルファーが交換可能な景品を選定する。選定された景品は、そのイメージとともに、クライアントマシン４のモニタに表示される。ゴルファーは、所望の景品を選択する。選択された景品は、ゴルファーの住所に送られる。景品が、ゴルフ場でゴルファーに渡されてもよい。選択された景品に応じて、選定部６０は、累積ポイントから当該景品の必要ポイント分を減じる。換言すれば、累計ポイントが更新される。新たな累積ポイントは、ポイント記憶部６６に記憶される。
【００３５】
このシステムでは、歩数計コード及びゴルファーコードの一致が、歩数データ受信の条件とされる。従って、歩数計２が記憶する歩数データが、この歩数計２を所有するゴルファー以外の歩数として記憶されることが防止される。
【００３６】
このシステムによってゴルファーは、歩行（又はゴルフ）を継続する意欲を持ち続けることができる。このシステムによってゴルフ場は、入場者数の増加を期待できる。
【００３７】
サーバマシン６のＣＰＵ５０が、歩数を統計処理してもよい。統計処理によって得られたデータは、サーバマシン６からクライアントマシン４に送られ、クライアントマシン４のモニタ３８に表示されうる。例えば、起床から就寝までの１時間ごとの歩数、月初から月末までの１日ごとの歩数等が、グラフ化されて表示されうる。厚生労働省が提唱する身体活動強さ（メッツ）及び身体活動量（Ｅｘ）が表示されてもよい。消費カロリーが表示されてもよい。
【００３８】
選定部６０が、加盟店コード記憶部７０に記憶されたゴルフ場コードに基づき、当該ゴルフ場でのみ利用できる景品を選定してもよい。例えば、当該ゴルフ場のプレー代金に充当できる金券が、景品として選定されてもよい。
【００３９】
ゴルフ場での歩行に対するポイントへの換算率が、ゴルフ場以外の場所での歩行に対するポイントへの換算率よりも高く設定されてもよい。これによりゴルフ場は、入場者数の増加を期待できる。しかもゴルファーは、ポイントの利益を得つつ、ホームコースでゴルフを楽しむことができる。換算率を異ならせるには、ゴルフ場での歩行とゴルフ場以外の場所での歩行とが識別される必要がある。識別の目的で、ゴルフ場のフロントに設置された送信装置８（パーソナルコンピュータ）に、ゴルファーのゴルフ場へのチェックイン時刻及びチェックアウト時刻が入力される。この時刻データが、サーバマシン６に送信される。換算部５８は、チェックイン時刻からチェックアウト時刻までの歩行に関し、高い換算率を適用する。ゴルフ場のゲート（送信装置８）に、センサが設置されてもよい。ゴルファーは、ＩＣカード等を所有する。ゴルファーの通過（すなわちＩＣカードの通過）は、ゲートによって検知される。ゲートからサーバマシン６に、チェックイン時刻及びチェックアウト時刻のデータが送信される。歩数計２が、ＩＣカードを内蔵してもよい。ＩＣカードに換えて、他の認証手段が用いられてもよい。
【００４０】
本発明にいう「運動」は、歩行には限られない。身体を動かす種々の活動が、「運動」に該当する。本発明にいう「運動量計」は、歩数計には限られない。運動量を計測しうる種々の装置が、「運動量計」に該当する。本発明にいう「加入者」は、ゴルファーには限られない。運動を行う目的で本発明に係るシステムを用いるヒトが、「加入者」に該当する。本発明にいう「加盟店」は、ゴルフ場には限られない。本発明に係るシステムを用いる施設が、「加盟店」に該当する。
【産業上の利用可能性】
【００４１】
本発明に係るシステムは、スポーツジム、体育館、陸上競技場、球技場、武道場等でも用いられうる。
【符号の説明】
【００４２】
２・・・歩数計
４・・・クライアントマシン
６・・・サーバマシン
８・・・送信装置
１２・・・歩数計の制御部
２０・・・歩数計のＣＰＵ
２６・・・計算部
２８・・・歩数計の運動量記憶部
３０・・・運動計コード記憶部
３２・・・クライアントマシンの制御部
４４・・・サーバマシンの制御部
５０・・・サーバマシンのＣＰＵ
５２・・・記憶装置
５４・・・判定部
５６・・・累積計算部
５８・・・換算部
６０・・・選定部
６２・・・コード記憶部
６４・・・サーバマシンの運動量記憶部
６６・・・ポイント記憶部
６８・・・景品記憶部
７０・・・加盟店コード記憶部
【図１】
2011005155.tif 000003
【図２】
2011005155.tif 000004
【図３】
2011005155.tif 000005
【図４】
2011005155.tif 000006
【図５】
2011005155.tif 000007
【図６】
2011005155.tif 000008
【図７】
2011005155.tif 000009
【図８】
2011005155.tif 000010
【図９】
2011005155.tif 000011